(57)【要約】【課題】本発明は、継手に硬質ホースを連結するために、簡単かつ迅速に連結作業をすることができる工具と方法を提供することを目的とする。【解決手段】本発明は、上ハンドル２にかかる弾機８の弾発力を下ハンドル１にかかる弾機７より強くして基体３の後側部の上部と下部にそれぞれ枢支４，５し、下ハンドルが上方に作動すると、その基部前端部１６の枢軸１７が支持部材１２を後方に移動して前方に突設した左右の把持部材１０，１０の後方移動により先端半円筒形部１０’，１０’が閉口して硬質ホースを把持するようにし、しかる後に上ハンドルが下方に作動すると、その基部前端部２２の枢軸２１が作動板２６の後側部を上方に作動し、これにより作動板の前側部を下方に作動して作動杆２０を下動し、継手加圧部材１９の先端部２９が前記硬質ホースの上端口に配置した継手に挿入して加圧嵌着するものである。【選択図】    図２
2004230490.tif 000002
【特許請求の範囲】
【請求項１】
上ハンドルにかかる弾機の弾発力を下ハンドルにかかる弾機より強くして開閉する両ハンドルの前側一部を基体の後側部の上部と下部にそれぞれ枢支し、下ハンドルが上方に作動すると、その基部前端部の枢軸が支持部材を後方に移動し、これにより支持部材から前方に突設した左右の把持部材の後方移動にともなって閉口作動しその先端半円筒形部の閉口により硬質ホースを把持するようにし、しかる後に上ハンドルが下方に作動すると、その基部前端部の枢軸が作動板の後側部を上方に作動し、これにより作動板の前側部を下方に作動して作動杆を下動し、この作動杆と一体に成る継手加圧部材の先端部が前記硬質ホースの上端口に配置した継手に挿入して加圧嵌着するようにすることを特徴とする継手連結工具。
【請求項２】
上ハンドルにかかる弾機の弾発力を下ハンドルにかかる弾機より強くして開閉する両ハンドルの前側一部を基体の後側部の上部と下部にそれぞれ枢支し、下ハンドルが上方に作動すると、その基部前端部の枢軸が支持部材を後方に移動し、これにより支持部材から前方に突設した左右の把持部材の後方移動にともなって閉口作動しその先端半円筒形部の閉口によって硬質ホースを把持するようにし、しかる後に上ハンドルが下方に作動すると、その基部前端部の枢軸が作動板の後側部を上方に作動し、これにより作動板の前側部を下方に作動して作動杆を下動し、この作動杆と一体に成る継手加圧部材の先端部が、前記硬質ホースの上端口に配置した継手に挿入して加圧嵌着するようにすることを特徴とする継手連結方法。
【発明の詳細な説明】
【０００１】
【発明の属する技術分野】
本発明は、各種の継手に合成樹脂材製等の硬質ホースを連結するために使用する工具及びその連結方法に関するものである。
【０００２】
【従来の技術】
従来のこの種工具の技術としては、例えば特開平６−１８２６７５号のごとき発明が知られているが、この工具では複雑な操作が必要であり、作業しにくい欠点があるため、普及していない。
【０００３】
【発明が解決しようとする課題】
そこで、本発明は、継手に硬質ホースを連結するために、簡単かつ迅速に連結作業をすることができる手動工具を提供し、これによって連結作業を円滑に行うことを目的とするものである。
【０００４】
【課題を解決するための手段】
本発明は、上ハンドルにかかる弾機の弾発力を下ハンドルにかかる弾機より強くして開閉する両ハンドルの前側一部を基体の後側部の上部と下部にそれぞれ枢支し、下ハンドルが上方に作動すると、その基部前端部の枢軸が支持部材を後方に移動し、これにより支持部材前方に突設した左右の把持部材の後方移動により先端半円筒形部が閉口して硬質ホースを把持するようにし、しかる後に上ハンドルが下方に作動すると、その基部前端部の枢軸が作動板の後側部を上方に作動し、これにより作動板の前側部を下方に作動して作動杆を下動し、この作動杆と一体に成る継手加圧部材の先端部が前記硬質ホースの上端口に配置した継手に挿入して加圧嵌着するようにする連結工具であり、連結方法である。
【０００５】
【発明の実施の形態】
いま作業者は、上下両ハンドルに手を掛けて力を加えると、まず下ハンドルが弾機に抗して支軸を支点に上動する。すると、下ハンドルの基部下端部の枢軸が枢着する突片を引き込むから、この突片と一体に成る支持部材が後方に引かれ、この支持部材の左右両側部に設けた溝孔に係合している両把持部材の後端部に設けた突子が溝孔を移動するから、ホース把持部材の先端半円筒形部は枢軸を支点に閉口するように作動し、その先端半円筒形部が挟んでいる硬質ホースを確実に把持固定するようになる。
【０００６】
次に、ややおくれて上ハンドルが弾機に抗して支軸を支点に下動するから、上ハンドルの基部前端部の枢軸が作動板の後長孔を移動しながら作動板の後側部を上動し、作動板の前側部は支軸を支点に下動するようになる。すると、この支軸が架設する作動杆が縦長孔を介して垂直に下動し縦劃室内を下動するようになり、作動杆と一体に成る継手加圧部材が下動して、予め前記硬質ホースの上端口に配置しておいた継手の上端部に加圧先端部が挿入し、そのまま上ハンドルによる加圧力によって、継手は硬質ホースの上端部に完全に嵌着連結するようになる。
【０００７】
この硬質ホースへの継手の圧入による連結作業が終了した時は、作業者は上下両ハンドルへの加圧力を解放すればよい。
【０００８】
【実施例】
１は下ハンドルで、その断面はＵ形に成る。２は上ハンドルで、その断面はＵ形に成る。
【０００９】
３はこの下上両ハンドル１，２の基部を包囲支持する凾形の基体である。
【００１０】
４は前記下ハンドル１の基部の一部を前記基体３の後側部の左右両側部間に架設した下支軸。５は前記上ハンドル２の基部の一部を前記基体３の左右両側部間に架設した上支軸である。
【００１１】
６は前記下ハンドル１の下支軸４に近接した平行位置に前記基体３の左右両側部間に架設した止軸で、この止軸の一側部には、前記下支軸４に捲着し一端部を前記下ハンドル１の内側部に当接した弾機７の他端部が係止する。
【００１２】
８は前記止軸６の他端部に前記上支軸５に捲着し一端部を前記上ハンドル２の内側部に当接しその他端部が係止する弾機であり、この上ハンドル２の弾機８は前記下ハンドル１の弾機７よりその強度は大きい。この弾機の強弱により下上両ハンドルの操作をして連結作業を行うことが特徴となっている。
【００１３】
９は前記基体３の下側部に形成した横劃室で、この横劃室には、基体３の前側部より前方に突設するホース把持部材１０，１０をその中間交叉部に枢軸１１を架設して設置し、このホース把持部材１０，１０の基部を収容する平面Ｕ形に成る支持部材１２を収容する。
【００１４】
前記支持部材１２の上下両側部には溝孔１３，１３を設け、この溝孔には前記把持部材１０，１０の基端外側部に設けた突子１４，１４が各係合し、前後に作動する。
【００１５】
１０’，１０’は前記ホース把持部材１０，１０の各先端部に設けた半円筒形部であり、この両半円筒形部が一致すると円筒形状に成り、この中で硬質ホースを把持するようになる。
【００１６】
１５は前記支持部材１２の後側部に設けた突片で、この突片には前記下ハンドル１の基部前端部１６が枢軸１７によって連結する。
【００１７】
１８は前記基体３の前側部に形成した縦劃室で、この縦劃室には基体３の前側部より上方に突設する継手加圧部材１９の作動杆２０が設置される。
【００１８】
２１は前記上ハンドル２の基部前端部２２に設けた枢軸で、この枢軸は前記継手加圧部材１９の作動杆２０に設けた縦長孔２３に、突子２４を前長孔２５を介して架設した作動板２６の後側部に設けた後長孔２７に挿入する。
【００１９】
２８は前記作動板２６の中心部を前記基体３の左右両側部間に枢着した支軸で、この支軸を支点に作動する作動板２６の後側部の枢軸２１と前側部の突子２４が各長孔２５，２７を介して上下方向に作動するようになる。
【００２０】
２９は前記継手加圧部材１９の加圧先端部で、この加圧先端部は前記作動杆２０と上下に連動する。
【００２１】
【発明の効果】
本発明はこのような構成及び作用から成るものであるため、次のような効果を発揮する。
【００２２】
第１に、上下両ハンドルの開閉作動に弾機によって強弱の差をつけているから、硬質ホースの口端部分をまず把持固定した後に、継手を挿入しかつこれを加圧嵌着して連結する作業を迅速かつ的確に行うことができる。
【００２３】
第２に、硬質ホースを把持する両半円筒形部による開口度が大きいから、ホースの口径に自由に合わせた把持固定を確実に行うことができる。
【００２４】
第３に、工具全体の構造は比較的簡潔に成るものであるから、使用中に故障などは起らず常に円滑な連結作業を行うことができる。
【図面の簡単な説明】
【図１】全体の側面図
【図２】全体の側断面図
【図３】全体の作用時の側断面図
【図４】図２の正面図
【図５】図２の要部の平断面図
【図６】（ａ）は要部の平面図、（ｂ）は図（ａ）Ａ−Ａ線の断面図
【図７】要部の分離状態の側面図
【符号の説明】
１                下ハンドル
２                上ハンドル
３                基体
４                下支軸
５                上支軸
７                弾機
８                弾機
１０，１０        ホース把持部材
１０’，１０’      半円筒形部
１２              支持部材
１７              枢軸
１９              継手加圧部材
２０              作動杆
２１              枢軸
２４              突子
２６              作動板
２９              加圧先端部
【図１】
2004230490.tif 000003
【図２】
2004230490.tif 000004
【図３】
2004230490.tif 000005
【図４】
2004230490.tif 000006
【図５】
2004230490.tif 000007
【図６】
2004230490.tif 000008
【図７】
2004230490.tif 000009